(57)【要約】  【課題】  全体がガラスにより構成されており、開口部を確実に閉鎖して内部に収容される生物が水槽外に飛び出してしまうことが無く、必要に応じて適宜開口部を開放することが出来る様な蓋体を備えた生物飼育用水槽の提供。  【解決手段】  ガラス水槽１の開口部縁部（１ａ）に嵌合可能な第１の固定部（リップ部２）と、該第１の固定部（２）と直交する方向に突出した第２の固定部（リップ部４）及びガイドレール部（６）と、前記第１の固定部２に嵌合して固定されるガラス水槽側壁（８）と、前記ガイドレール部（６）によりスライド可能に支持されている板状の（例えばガラス製）蓋体（１０）、とを有すること特徴としている。  【選択図】  図１
2005080589.tif 000002
【特許請求の範囲】
【請求項１】
ガラス水槽の開口部縁部に嵌合可能な第１の固定部と、該第１の固定部と直交する方向に突出した第２の固定部及びガイドレール部と、前記第１の固定部に嵌合して固定されるガラス水槽側壁と、前記ガイドレール部によりスライド可能に支持されている板状の蓋体、とを有すること特徴とする生物飼育用水槽。
【請求項２】
ガラス水槽の開口部縁部に嵌合可能な第１の固定部と、該第１の固定部と直交する方向に突出した第２の固定部と、該第２の固定部に嵌合して固定される板状の第１の蓋体と、該第１の蓋体に対して回動自在に接続された第２の蓋体、とを有することを特徴とする生物飼育用水槽。
【請求項３】
ガラス水槽側壁を貫通する貫通部分と、該貫通部分が貫通しているガラス水槽側壁の内側面及び外側面をシールするシール部分と、前記貫通部よりも水槽の外側に設けられ且つ開閉機構を備えたバルブ部分と、前記貫通部よりも水槽の内側に設けられ且つ前記貫通部に対して回転可能なエルボ部分とを有しており、該エルボ部分はエルボの曲がり部を含む面が水槽内側底面に垂直に配置され、エルボ部分を取り付ける際の回転時に回転軸に直交する側の端部が水槽内側底面に接する距離に構成されていることを特徴とする請求項１又は２の何れかの生物飼育用水槽。
【請求項４】
ガラス水槽の側面に換気手段を設け、該換気手段は、ガラス水槽内の空気をガラス水槽外へ排出する送風手段と、該送風手段のガラス水槽に対して内側或いは外側の何れか一方に設けられ且つ脱臭剤を充填したフィルタ手段、とを有していることを特徴とする請求項１〜３の何れか１項の生物飼育用水槽。
【請求項５】
水槽隅部に断面L字型のカバー部材を設け、水槽内に設けられた機器の電源コードが、水槽隅部及び前記カバー部材で画定された領域に配置されることを特徴とする請求項１〜４の何れか１項の生物飼育用水槽。
【請求項６】
冷陰極管を照明器具に使用した請求項１〜５の何れか１項の生物飼育用水槽。
【請求項７】
ガラス水槽側壁及び／又はガラス水槽底上面の任意の位置に取付自在に構成された支持部材と、該支持部材により支持されるトレイとを有しており、該トレイ内には陸棲生物飼育用床材が充填されている請求項１〜６の何れか１項の生物飼育用水槽。
【発明の詳細な説明】
【技術分野】
【０００１】
本発明は、魚類、両生類、爬虫類、昆虫、その他の各種小動物（生物）の飼育容器として用いるのに好適な生物飼育用水槽に関する。
【背景技術】
【０００２】
生物飼育用水槽は、インテリアの一部を構成可能な程度まで美観が向上している。ガラス水槽は、ガラスという素材自体が有する美観により、また、近年のガラス加工技術の向上に起因して継目部分が極めて美麗に処理されるようになったため、ガラスのみから構成された総ガラス水槽は非常に人気が有る。
【０００３】
ここで、生物飼育用水槽として用いられる以上、その様なガラス水槽には、蓋をする必要がある。
しかし、総ガラス水槽では、蓋取付用の冶具をガラス面に加工することが大変困難であり、そのため、係る取付用冶具を使用しなくても良いように、ガラス板を水槽上面の開口部に渡して置くだけの蓋が圧倒的に多いのが現状である。
水槽内に収納される生物が非常に力が強く、運動能力に富んでいる場合には、単にガラス板を置いただけの蓋では、水槽内側からガラス板を移動して、水槽内の生物が水槽外に脱出してしまう恐れがある。
【０００４】
水槽内に収納されていた生物が魚類であれば、水槽外に脱出した魚類は生存が困難であり、また、飼育していた生物が脱出してしまうと飼育者としてのモラルに拘る事態が発生するのみならず、飼育生物の種類如何によっては、法規違反として刑罰或いは過料の対象となってしまう。従って、総ガラス水槽で生物を飼育する場合には、生物が水槽外へ脱出出来ないような蓋が必要である。
【０００５】
また、生物の種類によっては、大量の紫外線を必要とする場合が存在する。紫外線を照射する照明手段は、各種提案されているが（例えば、紫外線灯）、紫外線はガラス板を透過する事が出来ない。
従来のガラス板を使用した蓋では、生物が要求するレベルの紫外線照射量を確保できないという問題がある。
ここで、ガラス板を取り外すことにより紫外線照射量を確保することも可能であるが、その場合、紫外線灯等の照射時間をきめ細かく制御しなければ、紫外線照射が強すぎて、生体に悪影響を及ぼす可能性がある。
【０００６】
さらに、ガラス板で蓋をした場合、水槽内の湿度が上昇し過ぎて、所謂「蒸れた」状態となり、飼育生物の体調を崩してしまう事例が多々見受けられる。
【０００７】
上述したような各種の問題点は、ガラス水槽の開口に開閉自在な蓋を取付自在にすることが出来れば、解消する。
しかし、ガラス水槽、特に総ガラス水槽にその様な開閉自在な蓋を、確実且つ強固に取り付ける技術は未だ確立されていない。
【０００８】
例えば、キスゴム等で取り付けるタイプのものがあるが、蓋をガラス水槽に固着する力は弱い。
【０００９】
なお、アクリル等で蓋と一体的に構成された飼育用ケージも存在する。
しかし、アクリルでは、ガラスのような素材そのものの美観を発揮することが出来ない。そのため、上述したようなインテリア的な生物の観察や鑑賞が不可能となってしまう。
アクリルはガラスに比較して傷が付き易いので、鋭い爪を持つ生物を飼育している場合では、美観の経時劣化が特に顕著である。
その他の従来技術として観賞魚飼育用水槽について提案されているが（例えば特許文献１参照）、上述した各種問題を解決するものではない。
【特許文献１】特開２００１−２４５５４９号公報
【発明の開示】
【発明が解決しようとする課題】
【００１０】
本発明は上述した従来技術の問題点に鑑みて提案されたものであり、全体がガラスにより構成されており、開口部を確実に閉鎖して内部に収容される生物が水槽外に逃げ出してしまうことが無く、必要に応じて適宜開口部を開放することが出来る様な蓋体を備えた生物飼育用水槽を提供することを目的としている。
【課題を解決するための手段】
【００１１】
本発明の生物飼育用水槽（Ａ）は、ガラス水槽１の開口部縁部（１ａ）に嵌合可能な第１の固定部（リップ部２）と、該第１の固定部（２）と直交する方向に突出した第２の固定部（リップ部４）及びガイドレール部（６）と、前記第１の固定部２に嵌合して固定されるガラス水槽側壁（８）と、前記ガイドレール部（６）によりスライド可能に支持されている板状の（例えばガラス製）蓋体（１０）、とを有すること特徴としている（請求項１）。
本発明の実施に際して、前記第１の固定部（２）、第２の固定部（４）、ガイドレール部（６）は例えば樹脂製であり、一体に整形されている（２０）のが好ましい。
【００１２】
また本発明の生物飼育用水槽（Ａ２）は、ガラス水槽（１）の開口部縁部（１ａ）に嵌合可能な第１の固定部（リップ部２）と、該第１の固定部（２）と直交する方向に突出した第２の固定部（リップ部４）と、該第２の固定部（４）に嵌合して固定される板状の第１の（例えばガラス製）蓋体（１２、１２Ａ）と、該第１の蓋体（１２、１２Ａ）に対して（例えば、蝶番の様な部材１３により）回動自在に接続された第２の（例えばガラス製）蓋体（１４、１４Ａ）、とを有してことを特徴としている（請求項２）。
本発明の実施に際して、前記第１の固定部（２Ａ）及び第２の固定部（４Ａ）は、例えば樹脂製であり、一体に整形されている（２０Ａ）のが好ましい。
【００１３】
係る構成を有する本発明によれば、
ガラス水槽の開口部縁部（１ａ）に第１の固定部（リップ部２）が嵌合し、第１の固定部（リップ部２）を有する部材（２０）を強固にガラス水槽（１）に固着することが出来る。
また、蓋体（１０）をガイドレール（６）に沿ってスライドすることにより、生物飼育用水槽（Ａ）の蓋体（１０）を開閉自在とすることが出来る（請求項１の場合）。
或いは、第２の蓋体（１４、１４Ａ）を第１の蓋体（１２、１２Ａ）に対して回動することにより、生物飼育用水槽（Ａ２）を開閉自在な構造とすることが出来る（請求項２の場合）。
すなわち、ガラス水槽において、確実に固着される開閉可能な蓋体が提供される。
【００１４】
例えば、外部からの紫外線照射量を抑えたい場合は第２の蓋体（１４、１４Ａ）を水槽開口部（１ａ）を覆う状態（閉鎖状態）にせしめ、「蒸れ」防止等で水槽の開口部を大きくしたい場合は、第２の蓋体（１４、１４Ａ）が水槽開口部（１ａ）を覆っていない状態（開放状態）にすれば良い。
【００１５】
ここで、生物を水槽で飼育する際に、水生生物であれば、糞や食べ残しの餌等により水が汚染されてしまう。仮に、フィルタ等で係る糞や余剰の餌等を完全に除去することが可能であったとしても、水生生物の排泄物により、水中内のアンモニア濃度或いは硝酸塩濃度が上昇してしまう。
そして、水槽内の水が汚染されたり、アンモニア濃度或いは硝酸塩濃度が許容値以上になると、生物の生存が困難な状況となってしまう。そのため、定期的に、水槽内の水を全量或いは一定量だけ、清浄な水と交換してやる必要がある。特に、亀等の水棲爬虫類は、排泄物の量が非常に多いため、換水の頻度を非常に多くしてやらなければ成らないことが良く知られている。
【００１６】
従来の水槽、特にガラス水槽では、その様な水の交換に多大な労力が必要とされている。
そのため、図２１で示す様に、ガラス水槽（１Ｊ）底面近傍に給排水口（３Ｊ）を設け、給排水口に設けたバルブ（５Ｊ）を普段は閉鎖しておくが、水交換時には係るバルブ（５Ｊ）を開放して、水を排水している。
しかし、現状のガラス加工技術では、ガラス水槽の内側底面（１Ｊａ）丁度の位置に給排水口（３Ｊ）を設けることは困難である。
すなわち、水を全量交換したい場合にも、深さδ分の水（汚染された水）だけは残ってしまい、その状態で綺麗な水を給水しても、残存した汚水が存在するので、水槽内の水を完全に清浄な水で満たすことは出来ない。
【００１７】
これに対して、本発明の生物飼育用水槽（Ａ３）では、ガラス水槽側壁（８）を貫通する貫通部分（８ａ）と、該貫通部分（８ａ）が貫通しているガラス水槽側壁（８）の内側面（８ｉ）及び外側面（８ｏ）を（水槽内部の液体が外部に漏出しないように）シールするシール部分（Ｓ）と、前記貫通部（８ａ）よりも水槽の外側に設けられ且つ開閉機構を備えたバルブ部分（Ｖ）と、前記貫通部（８ａ）よりも水槽の内側に設けられ且つ前記貫通部（８ａ）に対して回転可能なエルボ部分（Ｅ）とを有しており、該エルボ部分（Ｅ）はエルボの曲がり部を含む面が水槽内側底面（９ｉ）に垂直に配置され、エルボ部分（Ｅ）を取り付ける際の回転時に回転軸（Ｊ）に直交する側の端部（Ｅｅ）が水槽内側底面（９ｉ）に接する距離に構成されていることを特徴としている（請求項３）。
この構成は、上述した水槽（請求項１又は２の何れかの水槽）にそのまま適用することが出来る。
【００１８】
係る構成を具備する本発明によれば、エルボ部分（Ｅ）を回転することにより、該エルボ部分（Ｅ）の一端（Ｅｅ）が水槽内側底面（９ｉ）と最も接近する距離（γ）となる。また、エルボの回転時に回転軸（Ｊ）に直交する側の端部（Ｅｅ）の直径を小さくすれば、前記距離（γ）を極めて小さな値とすることが可能である。或いは、エルボ部分（Ｅ）は回転させないでエルボの一端（Ｅｅ）を水槽内側底面（９ｉ）に接触させ、前記貫通部（８ａ）側を回転することによってエルボ部分（Ｅ）と貫通部（８ａ）を接続するようにすれば、前記距離（γ）を０（零）とすることが出来る。そして、その状態で排水すれば、水槽内の水の大部分が排水され、図２０で説明した従来技術の場合のように、汚れた水が残ってしまうことが無い。
そのため、換水後の水槽内を、清浄な水で満たすことが出来る。
【００１９】
なおエルボ部分は、単一の部材（Ｅ）であっても、複数部材（図１１参照）であってもよい。
【００２０】
本発明の生物飼育用水槽（Ａ４）は、ガラス水槽（１Ｃ）の側面（８）に換気手段（１６）を設け、該換気手段（１６）は、ガラス水槽（１Ｃ）内の空気をガラス水槽（１Ｃ）外へ排出する送風手段（１６ａ）と、該送風手段（１６ａ）のガラス水槽（１Ｃ）に対して内側或いは外側の何れか一方に設けられ且つ脱臭剤（１６ｃ）を充填したフィルタ手段（１６ｂ）、とを有していることを特徴としている（請求項４）。
この構成は、上述した水槽（請求項１〜３の何れか１項の水槽１）にそのまま適用することが出来る。
【００２１】
乾燥状態を好む生物を飼育するにあたっては、水槽内が「蒸れた」状態になると悪影響があるので、換気手段をガラス水槽に設ける場合がある。
係る換気手段をガラス水槽の開口部のみならず、側面部に取り付けることは、現在のガラス加工技術でも可能である。そして、換気効率を向上し、「蒸れ」を防止するためには、係る換気手段は、ガラス水槽の開口部よりも、側面部（特に下方）に設けるのが効果的である。
ここで、従来の換気手段は「防臭」という観点で作成されていないので、ガラス水槽内の雰囲気が悪臭を有する場合、ガラス水槽内を換気する際に、水槽内の空気が水槽外に排気されることにより、ガラス水槽を設置してある空間に悪臭を漂わせてしまう可能性がある。
【００２２】
これに対して、上述した構成を具備した本発明の生物飼育用水槽（Ａ４：請求項４）によれば、水槽（１Ｃ）内の空気は、送風手段（１６）により排出される際に（フィルタ手段（１６ｂ）を送風手段（１６ａ）のガラス水槽（１）に対して外側に設けた場合）、或いは、送風手段（１６ａ）により吸引される際に（フィルタ手段１６ｂを送風手段１６ａのガラス水槽に対して内側に設けた場合）、フィルタ手段（１６ｂ）に充填された脱臭剤（１６ｃ）を通過する。
したがって、水槽内の空気が悪臭を有していても、脱臭剤（１６ｃ）を通過する際に悪臭が除去されるので、水槽（１Ｃ）内を換気しても、悪臭が水槽を設置した部屋内に漂ってしまうことが防止される。
【００２３】
水槽内を適温に維持する場合、水槽内に各種の温度調節手段（例えばヒーター）を設ける場合がある。通常、商用電源からコードを介して温度調節手段に電力を供給している。
しかし、飼育されている生物が、噛み付く、爪を立てる等により、前記コードを破損する恐れがある。
係る事態が生じると、温度調節手段が作動せず飼育適正温度が維持できない、又はコード破損の際に飼育生物が感電する、或いは漏電による危険がある、等の不都合が予想される。
【００２４】
これに対して本発明の生物飼育用水槽（Ａ５）は、水槽隅部（１ｃ）に断面L字型のカバー部材（１７）を設け、水槽（１）内に設けられた機器（例えばヒーター、フィルタ、その他）の電源コード（１８）が、水槽隅部（１ｃ）及び前記カバー部材（１７）で画定された領域（１９）に配置されることを特徴としている（請求項５）。
この構成は、上述した水槽（請求項１〜４の何れか１項の水槽１）にそのまま適用することが出来る。
【００２５】
係る構成を具備する本発明の生物飼育用水槽（Ａ５）によれば、水槽（１Ｄ）内に設けられた機器（例えばヒーター、フィルタ、その他）の電源コード（１８）は水槽隅部（１ｃ）及び前記カバー部材（１７）で画定された領域（１９）に配置されているので、飼育生物が電源コード（１８）を破損しようとしても、断面L字型のカバー部材（１７）で電源コード（１８）は遮蔽されている。すなわち、飼育生物による電源コード（１８）の破損が完全に防止される。
【００２６】
本発明において、冷陰極管（２２）を照明器具に使用することが好ましい（請求項６）。
冷陰極管（２２）を照明器具に使用すれば、照明器具（２２）からの発熱量が激減するので、特に夏場における水槽内温度（水温、気温）の上昇を抑制するのに非常に効果的である。
【００２７】
さらに本発明において、ガラス水槽側壁（７、８）及び／又はガラス水槽底上面（９ｉ）の任意の位置に取付自在に構成された支持部材（３４）と、該支持部材（３４）により支持されるトレイ（３６）とを有しており、該トレイ（３６）内には陸棲生物飼育用床材（例えば、消毒済みの土等３７）が充填されているのが好ましい（請求項７）。
【００２８】
この様に構成すれば、トレイ（３６）の上縁部（２６ａ）より下方まで水を充填して、水槽（１Ｅ）内に陸地部分（トレイ３６内の領域）と水場部分（３８）とを設けることが出来る。この場合、水場（３８）の面積としては、トレイ（３６）の下方も含まれるので、水槽（１Ｅ）内のスペースを有効利用することが出来る。
そして、例えば亀の様に、水陸で活動する生物を飼育するのに好適である。
【発明の効果】
【００２９】
本発明の作用効果について、以下に列挙する。
（１）  ガラス水槽の開口部縁部に第１の固定部が嵌合し、第１の固定部を有する部材を強固にガラス水槽に固着することが出来る。
（２）  蓋体をガイドレールに沿ってスライドすることにより、生物飼育用水槽の蓋体を開閉自在とすることが出来る。
（３）  第２の蓋体を第１の蓋体に対して回動することにより、生物飼育用水槽を開閉自在な構造とすることが出来る。
（４）  水槽内の空気は、送風手段により排出される際にフィルタ手段に充填された脱臭剤を通過するので、水槽内の空気が悪臭を有していても、脱臭剤を通過する際に悪臭が除去され、悪臭が水槽を設置した部屋内に漂ってしまうことが防止される。
（５）  水槽内に設けられた機器の電源コードは水槽隅部及びカバー部材で画定された領域に配置されているので、飼育生物が電源コードを破損しようとしても、断面L字型のカバー部材で電源コードは遮蔽されおり、飼育生物による電源コードの破損が完全に防止される。
（６）  冷陰極管を照明器具に使用しているので、照明器具からの発熱量が激減し、特に夏場における水槽内温度（水温、気温）の上昇を抑制する。
（７）  ガラス水槽側壁及び／又はガラス水槽底上面の任意の位置に取付自在に構成された支持部材と、支持部材により支持されるトレイとを有しており、該トレイ内には陸棲生物飼育用床材（例えば、消毒済みの土等）が充填されているので、トレイの上縁部より下方まで水を充填して、水槽内に陸地部分と水場部分とを設けることが出来る。この場合、水場の面積としては、トレイの下方も含まれるので、水槽内のスペースを有効利用することが出来る。そして、例えば亀の様に、水陸で活動する生物を飼育するのに好適である。
【発明を実施するための最良の形態】
【００３０】
以下、添付図面を参照して、本発明の実施形態を説明する。
【００３１】
先ず、図１〜図５を参照して、第1実施形態を説明する。
図１〜４は第１実施形態の第1実施例を示しており、図１において、図示を省略した全体を符号Ａで表す生物飼育用水槽は、図４に示すガラス水槽１の開口部縁部１ａに嵌合する樹脂製の固定部材２０を有している。
【００３２】
その固定部材２０は、ガラス水槽１の開口部縁部１ａに嵌合可能な第１のリップ部２と、該第１のリップ部２と直交する方向に突出した第２のリップ部４、及び第２のリップ部で形成されるガイドレール部６とで構成されている。
前記第１のリップ部２には、前記ガラス水槽１の側壁８の上端（開口部縁部１ａ）が嵌合し、前記第２のリップ部４は図２に詳細断面（図１のＸ１−Ｘ１断面）を示すように、第２のリップ部４の上下のリップ４ａ、４ｂで形成されるガイドレール部６にはガラス製の蓋体１０がスライド可能に系合している。
【００３３】
又、図１のＸ２−Ｘ２断面は、図３に詳細を示すように、第３のリップ部５が形成され、その上下のリップ５ａ、５ｂの間は、上段が深く、下段が浅い段付溝６０が形成されている。上段の深い溝部６０ａには、ガラス製の固定蓋１１が挿入され固定される。又そのガラス製の固定蓋１１と前記下側のリップ５ｂとで形成される溝部６０ｂには、可動蓋１０がスライド可能に系合している。すなわち、ガラス製の固定蓋１１と前記下側のリップ５ｂとで形成される溝部６０ｂの幅ｔは、可動蓋１０の厚みよりも大に構成されている。
【００３４】
図５は、第１実施形態の他の実施例である。第１実施形態の一実施例では、可動蓋１０と、固定蓋１１を有していたが、図５の他の実施例（生物飼育用水槽全体を符号Ａ１で表す）は、蓋が可動蓋１０Ａのみの実施例である。
ガラス水槽１Ａの１箇所の側壁７Ａが下端から所定の高さまで垂直面７Ａｈが延び、垂直面の終了位置から、水槽の内側に倒れ込む様な斜面７Ａｃが接続している。その他の側壁７Ｂ、８Ａ、８Ａは何れも垂直面であり、すべての側壁７Ａ、７Ｂ、８Ａ、８Ａの上縁を結ぶ線は水平の開口部Ａｏを形成する。
【００３５】
図１と、図５とを比較して明確なように、第１実施例Ａの水槽１の底９と他の実施例の水槽Ａ１の底９Ａが同一であれば、他の実施例ＡＩの開口部の面積、すなわち蓋の幅は狭くなるので、可動蓋１枚のみとしている。可動蓋１枚のみとすることで第２のリップ部は、図２で示す断面形状と同一の断面形状となる。
【００３６】
次に図６〜図８を参照して第２実施形態を説明する。
図６及び図７の第２実施形態の第１実施例において、ガラス水槽は省略しているが全体を符号Ａ２で表す生物飼育用水槽は、ガラス水槽の開口部縁部に嵌合する固定部材２０Ａを有している。
【００３７】
その固定部材２０Ａは、ガラス水槽の開口部縁部に嵌合可能な第１の固定部リップ部２Ａと、該第１のリップ部２Ａと直交する方向に突出した第２のリップ部４Ａとで構成され、該第２のリップ部４Ａには板状で固定側の第１のガラス製蓋体１２と、該第１の蓋体１２に対して、蝶番１３により回動自在に接続された第２のガラス製蓋体１４が嵌合する。
【００３８】
ここで、図７を参照して、左右の固定部材２０Ａ、２０Ａを水槽の適正位置（水槽の側壁が左右の第１のリップ２Ａに嵌合されるような位置）に配置した場合の前記左右の第２のリップ部４Ａの上方のリップ４Ａａ、４Ａａの組幅、即ちリップ先端間の距離をＷｕ、前記左右の第２のリップ部４Ａの下方のリップ４Ａｂ、４Ａｂの組幅、即ちリップ先端間の距離をＷｌ、左右の固定部材２０Ａのガイド溝６Ａ、６Ａの底部同士の幅をＷｇ、第１のガラス製蓋体１２の幅をＷ１２、第２の蓋体１４の幅をＷ１４とする。また、第２のリップ部４Ａの上方のリップ４Ａａは、第２のリップ部４Ａの下方のリップ４Ａｂよりも短く形成されている。
【００３９】
前記第２の蓋体１４の幅Ｗ１４は、第２のリップ部４Ａの下方のリップ４Ａｂ、４Ａｂの組幅Ｗｌよりも大きく、第２のリップ部４Ａの上方のリップ４Ａａ、４Ａａの組幅Ｗｕよりも小さい。従って、前述の蝶番１３の軸を回転中心として回動させた場合、第２の蓋体１４は、上方のリップ４Ａａ先端に邪魔されること無く略１８０°回動して完全に開き切ることが出来る。
【００４０】
一方、第１の蓋体１２の幅Ｗ１２は、第２のリップ部４Ａの上方のリップ４Ａａ、４Ａａの組幅Ｗｕよりも大きく、左右の固定部材２０Ａのガイド溝６Ａ、６Ａの底部同士の幅Ｗｇよりも小さい。従って、第１の蓋体１２はガイド溝６Ａ、６Ａからの脱落が防止される。
【００４１】
ここで、第１実施例では、第１蓋体（固定蓋）の長さＬ１２に対して、第２の蓋体の長さＬ１４のほうが長く構成されている。このように構成されることによって、第２の蓋体１４を回動して開いた場合は大きな開口部が得られる。
【００４２】
図８に示す第２実施形態の他の実施例は、固定部材は、上述の第１実施例と同様なもの２０Ａが使用出来るが、上述の第１実施例が第１蓋体（固定蓋）の長さＬ１２に対して、第２の蓋体の長さＬ１４の方が長く構成されていたのに対して、第１蓋体の長さＬ１２Ａと第２の蓋体の長さＬ１４Ａを略等しくした実施例である。
開口部を小さめに限定したのは、例えば、飼育中の動物が逃げ出しやすい場合など開口部を小さくして逃げ出しを防止するのに好適である。
【００４３】
第１の蓋体１２Ａ側を開いて、例えば掃除をしたい場合は、ガイド溝６Ａ（図７参照）に沿って、第１の蓋体１２Ａを図８の手前側に引っ張り出せばよい。
【００４４】
また、第二実施形態の第１実施例及び他の実施例において、動きが活発でなく、逃亡の恐れが低い飼育動物では、例えば、外部からの紫外線照射量を抑えたい場合は第２の蓋体１４、１４Ａを水槽開口部１ａを覆う状態（閉鎖状態）にせしめ、「蒸れ」防止等で水槽の開口部を大きくしたい場合は、第２の蓋体１４、１４Ａが水槽開口部を覆っていない状態（開放状態）にすれば良い。
【００４５】
次に図９〜図１１を参照して、第３実施形態を説明する。
【００４６】
ここで、生物を水槽で飼育する際に、水生生物であれば、糞や食べ残しの餌等により水が汚染されてしまう。仮に、フィルタ等で係る糞や余剰の餌等を完全に除去することが可能であったとしても、水生生物の排泄物により、水中内のアンモニア濃度或いは硝酸塩濃度が上昇してしまう。
そして、水槽内の水が汚染されたり、アンモニア濃度或いは硝酸塩濃度が許容値以上になると、生物の生存が困難な状況となってしまう。そのため、定期的に、水槽内の水を全量或いは一定量だけ、清浄な水と交換してやる必要がある。特に、亀等の水棲爬虫類は、排泄物の量が非常に多いため、換水の頻度を非常に多くしてやらなければ成らないことが良く知られている。
【００４７】
従来の水槽、特にガラス水槽では、その様な水の交換に多大な労力が必要とされている。
そのため、図２１で示す様に、ガラス水槽１Ｊ底面近傍に給排水口３Ｊを設け、給排水口３Ｊに設けたバルブ５Ｊを普段は閉鎖しておくが、水交換時には係るバルブ５Ｊを開放して、水を排水している。
しかし、現状のガラス加工技術では、ガラス水槽の内側底面１Ｊａ丁度の位置に給排水口３Ｊを設けることは困難である。
すなわち、水を全量交換したい場合にも、深さδ分の水（汚染された水）だけは残ってしまい、その状態で綺麗な水を給水しても、残存した汚水が存在するので、水槽内の水を完全に清浄な水で満たすことは出来ない。
【００４８】
これに対して、図９及び図１０で示す第３実施形態（生物飼育用水槽全体を符号Ａ３で示す）では、ガラス水槽１Ｂのガラス水槽側壁８を貫通する貫通部分８ａを有している。該貫通部分８ａには該貫通部分８ａが貫通しているガラス水槽側壁８の内側面８ｉ及び外側面８ｏを水槽内部の液体が外部に漏出しないようにシールするシール部分Ｓを含んでいる。
【００４９】
前記貫通部８ａよりも水槽の外側には開閉機構を備えたバルブ部分Ｖが設けられており、前記貫通部８ａよりも水槽の内側には前記貫通部８ａに対して回転可能なエルボ部分Ｅが接続されている。
該エルボ部分Ｅはエルボの曲がり部を含む面が水槽内側底面９ｉに垂直に配置され、エルボ部分Ｅを取り付ける際の回転（矢印Ｒ）時に回転軸Ｊに直交する側の端部Ｅｅが水槽内側底面９ｉに接する距離に構成されている。
【００５０】
そのような構成の第３実施形態によれば、エルボ部分Ｅを回転することにより、エルボ部分Ｅの一端Ｅｅが水槽内側底面９ｉと最も接近する距離δとなる。
また、エルボの回転時に回転軸Ｊに直交する側の端部Ｅｅの直径を小さくすれば、前記距離δを極めて小さな値とすることが可能である。
或いは、エルボ部分Ｅは回転させないでエルボの一端Ｅｅを水槽内側底面９ｉに接触させ、前記貫通部８ａ側を回転することによってエルボ部分Ｅと貫通部８ａを接続するようにすれば、前記距離δを０（零）とすることが出来る。
そして、その状態で排水すれば、水槽内の水の大部分が排水され、図２１で説明した従来技術の場合のように、汚れた水が残ってしまうことが無い。
そのため、換水後の水槽内を、清浄な水で満たすことが出来る。
【００５１】
なおエルボ部分は、図９及び図１０のような単一の部材Ｅであっても、図１１に示すように、アタッチメントＴ、エルボＥ１、ストレートコネクタＮの複数部材を接続する構造であってもよい。
【００５２】
乾燥状態を好む生物を飼育するにあたっては、水槽内が「蒸れた」状態になると悪影響があるので、換気手段をガラス水槽に設ける場合がある。
そのような換気手段をガラス水槽の開口部のみならず、側面部に取り付けることは、現在のガラス加工技術でも可能である。そして、換気効率を向上し、「蒸れ」を防止するためには、そうした換気手段は、ガラス水槽の開口部よりも、側面部（特に下方）に設けるのが効果的である。
ここで、従来の換気手段は「防臭」という観点で作成されていないので、ガラス水槽内の雰囲気が悪臭を有する場合、ガラス水槽内を換気する際に、水槽内の空気が水槽外に排気されることにより、ガラス水槽を設置してある空間に悪臭を漂わせてしまう可能性がある。
【００５３】
これに対して、図１２及び図１３に示す第４実施形態（生物飼育用水槽全体を符号Ａ４で示す）では、ガラス水槽１Ｃの側面８に換気手段１６を設けている。
該換気手段１６は、図１３に詳細を示すように、ガラス水槽１Ｃ内の空気をガラス水槽１Ｃ外へ排出する送風手段１６ａと、該送風手段１６ａのガラス水槽１Ｃに対して内側或いは外側の何れか一方に設けられ且つ脱臭剤１６ｃを充填したフィルタ手段１６ｂとを有している。
この構成は、上述した第１実施形態から第３実施形態の生物飼育用水槽にそのまま適用することが出来る。
【００５４】
上述した構成を具備した第４実施形態によれば、水槽１Ｃ内の空気は、送風手段１６により排出される際にフィルタ手段１６ｂに充填された脱臭剤１６ｃを通過し、脱臭剤１６ｃを通過する際に悪臭が除去されるので、水槽１Ｃ内を換気しても、悪臭が水槽を設置した部屋内に漂ってしまうことが防止される。
【００５５】
水槽内を適温に維持する場合、水槽内に各種の温度調節手段（例えばヒーター）を設ける場合がある。その場合、通常商用電源からコードを介して温度調節手段に電力を供給している。
しかし、飼育されている生物が、噛み付いたり、爪を立てたりすることにより、前記コードを破損する恐れがある。
係る事態が生じると、温度調節手段が作動せず飼育適正温度が維持できない、又はコード破損の際に飼育生物が感電する、或いは漏電による危険がある、等の不都合が予想される。
【００５６】
これに対して、図１４に示す第５実施形態の生物飼育用水槽（生物飼育用水槽全体を符号Ａ５で示す）は、水槽隅部１ｃに断面L字型のカバー部材１７を設け、水槽１Ｄ内に設けられた機器（例えばヒーター、フィルタ、その他）の電源コード１８が、水槽隅部１ｃ及び前記カバー部材１７で画定された領域１９に配置されている。
この構成は、上述した生物飼育用水槽Ａ〜Ａ４にそのまま適用することが出来る。
【００５７】
そのような構成の生物飼育用水槽Ａ５によれば、水槽１Ｄ内に設けられた機器（例えばヒーター、フィルタ、その他）の電源コード１８は水槽隅部１ｃ及び前記カバー部材１７で画定された領域１９に配置されているので、飼育生物が電源コード１８を破損しようとしても、断面L字型のカバー部材１７で電源コードは遮蔽されている。すなわち、飼育生物による電源コード１８の破損が完全に防止される。
【００５８】
図１５〜図１７で示す第６実施形態では、図示しない生物飼育用水槽の照明器具として冷陰極管２２を使用している。
【００５９】
図１５及び図１６の第６実施形態の第1実施例において、冷陰極間２２が円筒状のカバー管２３の内部に封印されており、該カバー管２３内部の一端のインバータ２４に接続されている。
該インバータ２４はゴム製の防水シールド２５及び電源コード２６を介して電源アダプタ２７に接続されている。
【００６０】
前記カバー管２３の内面には水槽の壁面に近い半周分に反射用の塗料２８が塗布してある。
又は、カバー管２３の内面には水槽の壁面に近い半周分に反射板が接着剤等の公知の手段で貼り付けられている。
そしてカバー管２３の外周には長手方向の両端部近傍に樹脂製の止め輪３０ａを有する吸盤３０が取り付けられ、その吸盤３０の吸引力によって、冷陰極管２２を封印したカバー管２３を水槽の側壁部８に取り付けている。
【００６１】
その様に冷陰極管２２を照明器具に使用しているため、照明器具２２からの発熱量が激減するので、特に夏場における水槽内温度（水温、気温）の上昇を抑制するのに非常に効果的である。
【００６２】
図１７で示す第６実施形態の他の例では、反射板２８Ａを備えたＷ型のアタッチメントカバー２５Ａに２本の冷陰極管２２が接続され、屈曲可能な自在ステー３２及び取り付け治具３３で、全体が水槽の側壁８上縁に取り付けられるように構成されている。機能は図１５及び図１６の一例と同様である。
【００６３】
図１８〜図２０で示す第７実施形態の生物飼育用水槽（生物飼育用水槽全体を符号Ａ７で示す）は、ガラス水槽側壁７及び／又はガラス水槽底上面９ｉの任意の位置に取付自在に構成された支持部材３４と、該支持部材３４により支持されるトレイ３６とを有しており、該トレイ３６内には陸棲生物飼育用床材（例えば、消毒済みの土等３７）が充填されている。
【００６４】
この様に構成すれば、トレイの上縁部３６ａより下方まで水を充填して、水槽１Ｅ内に陸地部分トレイ３６内の領域と水場部分３８とを設けることが出来る。この場合、水場３８の面積としては、トレイの下方も含まれるので、水槽１Ｅ内のスペースを有効利用することが出来る。
そして、例えば亀の様に、水陸で活動する生物を飼育するのに好適である。
【００６５】
図示の実施形態はあくまでも例示であり、本発明の技術的範囲を限定する趣旨の記載ではない旨を付記する。
【図面の簡単な説明】
【００６６】
【図１】本発明の第１実施形態の第1実施例の要部を立体的に見た斜視図。
【図２】図１のＸ１−Ｘ１断面図。
【図３】図１のＸ１−Ｘ１断面図。
【図４】本発明の実施形態で用いられるガラス水槽の斜視図。
【図５】本発明の第１実施形態の他の実施例を立体的に見た斜視図。
【図６】本発明の第２実施形態の第1実施例の要部を立体的に見た斜視図。
【図７】本発明の第２実施形態における固定部材の断面図。
【図８】本発明の第２実施形態の他の実施例の第１及び第２の蓋部を立体的に見た斜視図。
【図９】本発明の第３実施形態の概略構成を示す斜視図。
【図１０】本発明の第３実施形態の第1実施例の要部断面図。
【図１１】本発明の第３実施形態の他の実施例の要部構成図。
【図１２】本発明の第４実施形態の概略構成を示す斜視図。
【図１３】本発明の第４実施形態の要部断面図。
【図１４】本発明の第５実施形態の要部の構成を示す斜視図。
【図１５】本発明の第６実施形態の第1実施例の要部の概略構成を示す概要図。
【図１６】図１５のＺ−Ｚ断面図。
【図１７】本発明の第６実施形態の他の実施例の概略構成を示す斜視図。
【図１８】本発明の第７実施形態の構成を示した斜視図。
【図１９】本発明の第７実施形態において、水槽の底に支持部材を所定の配置で設置した状体図。
【図２０】本発明の第７実施形態におけるトレイの斜視図。
【図２１】従来技術における排水装置の断面図。
【符号の説明】
【００６７】
１・・・水槽
２・・・第１のリップ部／第１の固定部
４・・・第２のリップ部／第２の固定部
６・・・ガイドレール
７、８・・・側壁部／枠体
９・・・水槽底部
１０・・・蓋体
１２、１２Ａ・・・第1の蓋体
１４、１４Ａ・・・第２の蓋体
１６・・・換気手段
１７・・・カバー部材
１８・・・電源コード
２０、２０Ａ・・・固定部材
Ａ〜Ａ７・・・生物飼育用水槽
Ｅ・・・エルボ部分
Ｖ・・・バルブ部分
【図１】
2005080589.tif 000003
【図２】
2005080589.tif 000004
【図３】
2005080589.tif 000005
【図４】
2005080589.tif 000006
【図５】
2005080589.tif 000007
【図６】
2005080589.tif 000008
【図７】
2005080589.tif 000009
【図８】
2005080589.tif 000010
【図９】
2005080589.tif 000011
【図１０】
2005080589.tif 000012
【図１１】
2005080589.tif 000013
【図１２】
2005080589.tif 000014
【図１３】
2005080589.tif 000015
【図１４】
2005080589.tif 000016
【図１５】
2005080589.tif 000017
【図１６】
2005080589.tif 000018
【図１７】
2005080589.tif 000019
【図１８】
2005080589.tif 000020
【図１９】
2005080589.tif 000021
【図２０】
2005080589.tif 000022
【図２１】
2005080589.tif 000023